(57)【要約】 【課題】本考案の目的は、踵後端部の甲被を開閉により着脱を容易となす靴において、踵甲被部の内外両側辺に設けたスライドファスナーの係合部を同時にかつ均等に上下動させる構成となし、簡便かつ確実に靴の着脱、緊締ができる靴を提供することにある。【解決手段】  靴甲被部の踵部における内外両側辺に、履口部４から靴底部５に向かう上下方向に、踵後端部を開閉自在となすスライドファスナー１、１を設けたシューズにおいて、該内外両側辺のスライドファスナー１、１の係合部２、２に両者を繋ぐストラップ３を係合している。【選択図】             図２
0003114143.tif 000002
【実用新案登録請求の範囲】
【請求項１】
靴甲被部の踵部における内外両側辺に、履口部４から靴底部５に向かう上下方向に、踵後端部６を開閉自在となすスライドファスナー１、１を設けたシューズにおいて、
該内外両側辺のスライドファスナー１、１の係合部２、２に、両者を繋ぐストラップ３を係合したことを特徴とする靴。
【請求項２】
請求項１において、前記靴甲被部の踵部のスライドファナー１の取り付け部における踵後端部６の両端縁７、７と対応する甲被部の内面側に、スライドファスナー１、１と足が直接接触することを防止する帯状片８、８を装着したことを特徴とする靴。
【請求項３】
請求項２において、前記帯状片８、８の表面側に、スライドファスナーの滑りを助長する平滑面の生地１０を貼り付けたことを特徴とする靴。
【請求項４】
請求項１において、靴甲被部の踵部に、上部中央に凹み１２を有する、ヒールカウンター１１を内装したことを特徴とする靴。
【請求項５】
請求項１において、踵後端部６の裏面側に足の滑りを助長する平滑部材１３を装着したことを特徴とする靴。
【請求項６】
請求項１において、ストラップ３の長さＡ´を、踵後端部６の幅Ａより長く設定するとともに、かつ垂れ下がった時の上下方向の幅ａをストラップを最下位に下ろしたときの幅ａ´と同じ長さ或いは若干短くしたことを特徴とする靴。
【考案の詳細な説明】
【技術分野】
【０００１】
本考案は、靴甲被部の踵後端部をスライドファスナーにより開閉自在となし、靴の着脱を容易とするタイプの靴において、前記スライドファスナーの開閉を更に簡便となす靴に関するものである。
【背景技術】
【０００２】
従来より、靴甲被部の踵部における内外両側辺に、履き口部から靴底部に向かい上下方向に開閉自在となすスライドファスナーを設けたものが公知である。（特許文献１）
【特許文献１】特開２００２−１５９３０７号（図４）
【考案の開示】
【考案が解決しようとする課題】
【０００３】
しかし、上記公知技術では、着脱に際し、踵部の内外に設けた二つのスライドファスナーの係合部をそれぞれ片方ずつ引き上げ若しくは引き下げ作業を行なわなくてはならず手間がかかるとともに、左右のファスナーがきっちりと上部に係合されない場合には、靴は緊締のバランスを崩し、足の圧力により一方から緩みはじめ、やがて脱げてしまうおそれもあった。
【０００４】
本考案の目的は、踵後端部の甲被を開閉により着脱を容易となす靴において、踵甲被部の内外両側辺に設けたスライドファスナーの係合部を同時にかつ均等に上下動させる構成となし、簡便かつ確実に靴の着脱、緊締ができる靴を提供することにある。
【課題を解決するための手段】
【０００５】
前記の目的を達成するために、本考案は、靴甲被部の踵部における内外両側辺に、履口部から靴底部に向かい上下方向に踵後端部を開閉自在となすスライドファスナーを設けたシューズにおいて、
該内外両側辺に設けたスライドファスナーの係合部に、両者を繋ぐストラップを係合したことにより、所期の目的を達成し得たものである。
【考案の効果】
【０００６】
本考案によれば、靴甲被の踵部の内外両側面に設けたストラップの引き上げ又は引き下げにより、スライドファスナーの係合部を左右同時に段差なく均等に作動することができるため確実な緊締と、常時安定した着用ができる。
また、着脱が簡便であるため、老人や幼児にもワンタッチで手軽に着脱できる利便性があり、あらゆる靴に適用性がある。
【考案を実施するための最良の形態】
【０００７】
本考案の最も好ましい実施例としては、図２、及び図３に示すように、甲被部の踵部における内外両側辺に、履口部４から底部５に向かう上下方向に踵後端部６を開閉自在となすスライドファスナー１、１を設けたシューズにおいて、該内外両側辺のスライドファスナー１、１の係合部２、２に両者を繋ぐストラップ３を係合したものである。
したがって、上記構成により、踵部の内外両側辺に設けたスライドファスナ１ーの係合部２を繋ぐストラップ３により、靴着用者は着脱に際し、これを着用する場合には、ストラップ３の中央を指で引っ掛け、これを引き上げることにより、その牽引力により左右のスライドファスナー１、１の係合部２を同時にかつ均等に引き上げて緊締し、また靴を脱ぐ場合は、ストラップ３を引き下げるのみで簡単に脱げる構成としたものである。
したがって、ストラップ３により引き上げられたスライドファスナーの係合部２は、左右同時に段差なく均等に上端におさまるため確実な緊締と、常時安定した着用ができる。
さらに特筆すべき点は、図３に示すように、スライドファスナー１、１の係合部２が引き下げられ開放状態となった踵後端部６の自由端を足入れと同時に指で保持しこれを引き上げることにより、自由端６を靴べらのように代用することができ、足の着用がスムーズとなり、ストラップ３との相乗効果により更に利便性が拡大する。
この際、かかる踵後端部６には、靴べらの代用として使用することを考慮し、その裏面側に素足との滑りを助長するような平滑部材１３を装着することが望ましい。
係る平滑部材１３としては、その表面が素足との滑りが助長され、かつ耐久性に優れた例えば、ナイロン、ビニール等の化学繊維、或いは各種合成皮革が適宜用いられる。
次に緊締装置としてのストラップ３は、図６に示すように、その長さＡ´を、踵後端部６の幅Ａより長く設定するとともに、垂れ下がった時の上下方向の幅ａを、図７に示すように、ストラップを最下位に下ろしたときの地面との接地幅ａ´と同じ長さ或いは若干これより短くすることが望ましい。
即ち、このストラップの長さＡ´は操作において指が引っ掛けられる撓みを有しかつ、ストラップの位置が最下位におろされた時、ストラップが地面に接触してひきづらないことを考慮した長さ、更に図３に示すように、ストラップの係合部の引き上げ、引き下げ抵抗をできる限り少なくできるようストラップに取り付けた環状部材９との取り付け角度ができる限り垂直に近くなるように設定されることが望ましい。
尚ストラップ３としては、靴本体の色調とあわせ、随時その色、模様、形状を種々に変化させることにより、所謂ワンポイント装飾品としての効果が期待できるなど、ファッション性豊かな靴の提供にも大いに貢献できる。
この際、ストラップ３としては、ナイロン、ビニール等の化学繊維、或いはクラリーノ（商標）等の合成皮革、或いは天然皮革など、耐久性、引っ張り強度の高い素材が適宜使用される。
またストラップ３のスライドファスナーの係合部２への取り付けには、金属性の環状部材９を使用することにより、ストラッブ３自体の強度を上げ、使用寿命を長く維持することができる。
更に、スライドファナー１、１の取り付け部である、踵後端部６の自由端の両端縁７、７と対応する甲被部の内面側に、スライドファスナー１、１が足と直接接触することを防止する帯状片８、８を装着したものが好適である。
このように、帯状片８を設けることにより、スライドファスナーと足が直接触れ合うことがないため、特にスライドファスナーの係合部２の上下動による足への圧迫や違和感もなく、スライドファスナーの係合部２の上下動もスムーズに行なえる利点もある。
【０００８】
また、前記帯状片８、８は、更にその表面側に平滑面の生地１０を貼り付けることにより、スライドファスナーの係合部２の上下動をよりスムーズにさせることができ、あわせて該生地の結合により靴自体の耐久性を高める利点もある。
【０００９】
図５は、靴甲被部の踵部に内装するヒールカウンター１１を示すものであって、係るヒールカウンター１１は、スライドファスナー１、１の装着領域を生かすべく上部中央に凹み１２を設けたものである。
従来、踵部の内外側片にこのようにスライドファスナー１，１を備えたタイプのものはヒールカウンターが装着されておらず、踵部の補型性と着用感が安定しないという難点があった。
従って、本考案は、前述した構成のヒールカウンター１１を踵部に内装していることにより、踵部の補型性の確保、即ち着用の安定性が保つことが出来た。
尚、本実施例は、ヒールカウンター１１の凹み１２の深さを上端から約２５ｍｍとし、底辺から凹み１２までの幅を約１５ｍｍとなるように形成しているが係るヒールカウンター自体の大きさ、形状、凹みの大きさは等は、靴の種類、履用目的に応じて適宜形成すればよい。
【産業上の利用可能性】
【００１０】
本考案は、幼児用あるいは老人用の一般靴として年齢に関係なくあらゆるシューズに適用できる。
【図面の簡単な説明】
【００１１】
【図１】本考案の靴の側面図である。
【図２】本考案の靴の斜視図である。
【図３】本考案の靴の踵後部のスライドファスナーを下ろした状態を示す斜視図である。
【図４】公知技術（特開２００２−１５９３０７号）示す靴の上部から観た斜視図である。
【図５】靴甲被の踵部に内装されるヒールカウンターを示す斜視図である。
【図６】本考案の靴の踵方向から観た斜視図である。
【図７】本考案の靴の踵方向から観た斜視図である。
【符号の説明】
【００１２】
１：スライドファスナー
２：スライドファスナーの係合部
３：ストラップ
４：履口部
５：靴底部
６：踵後端部
７：両端縁
８：帯状片
９：金属性の環状部材
１０：平滑面の生地
１１：ヒールカウンター
１２：ヒールカウンターの凹部
１３：平滑部材
Ａ、Ａ´：ストラップ長さ
ａ、ａ´：ストラップ長さ
【図１】
0003114143.tif 000003
【図２】
0003114143.tif 000004
【図３】
0003114143.tif 000005
【図４】
0003114143.tif 000006
【図５】
0003114143.tif 000007
【図６】
0003114143.tif 000008
【図７】
0003114143.tif 000009